(57)【要約】【課題】電子機器の強度を高めつつ、表示部の周囲の構造が外部から見えるのを防止することが目的とされる。【解決手段】本発明の実施の形態に係る電子機器は、キャビネット構成部材１１と、表示部２と、補強部材３とを備える。キャビネット構成部材１１は、キャビネット１の少なくとも一部を構成する部材であって、光透過性を有する。表示部２は、キャビネット１内に収納され、キャビネット構成部材１１によって表面２１が覆われる。補強部材３は、光透過率がキャビネット構成部材１１より低く、キャビネット構成部材１１を補強する部材であって、表示部２の周囲の位置にてキャビネット構成部材１１の内面１１ａに取り付けられる。【選択図】図２
2009212552.tif 000002
【特許請求の範囲】
【請求項１】
キャビネットの少なくとも一部を構成する部材であって、光透過性を有するキャビネット構成部材と、
前記キャビネット内に収納され、前記キャビネット構成部材によって表面が覆われた表示部と、
光透過率が前記キャビネット構成部材より低く、前記キャビネット構成部材を補強する部材であって、前記表示部の周囲の位置にて前記キャビネット構成部材の内面に取り付けられた補強部材と
を備える、電子機器。
【請求項２】
前記補強部材は、
前記キャビネット構成部材の前記内面に接触する平板部と、
前記平板部の前記キャビネット構成部材とは反対側の面に形成されたリブ部と
を有する、請求項１に記載の電子機器。
【請求項３】
前記補強部材の前記平板部には、前記表示部と対応させて開口が形成されている、請求項２に記載の電子機器。
【発明の詳細な説明】
【技術分野】
【０００１】
本発明は、電子機器に関し、特にキャビネットの少なくとも一部分が光透過性を有する電子機器に関する。
【背景技術】
【０００２】
従来から、携帯電話機などの電子機器において、キャビネットの少なくとも一部を構成する部材に、光透過性を有する部材を用いることが検討されている。例えばクラムシェル型の携帯電話機において、かかる技術を用いることが検討されている。クラムシェル型の携帯電話機では、折りたたんだ状態でも時間や着信状況などの確認を可能にする表示部が設けられている。そして、かかる表示部全体をキャビネットで覆い、少なくとも表示部に対向するキャビネットの部分を光透過性の部材で構成する。これにより、表示部をキャビネットで保護しつつ、キャビネットの外側から表示部を認識することが可能となる。
【０００３】
なお、本発明に関連する技術を以下に示す。
【特許文献１】特開２００５−２１７７９２号公報
【発明の開示】
【発明が解決しようとする課題】
【０００４】
しかし、キャビネットの少なくとも一部を光透過性の部材で構成した電子機器は、キャビネット内に収納された部品や、強度を高めるためにキャビネットの内面に設けられたリブなどが、キャビネットの外側から透けて見える。キャビネットの内側が透けて見えると、キャビネット表面に表した文字や模様、形状などが、部品やリブと重なって見づらくなる。
【０００５】
内面にリブのないキャビネットを用いることで、上述した問題は解消される。しかしリブがないと、キャビネットの強度が低下してしまう。キャビネットの強度が低いと、電子機器全体の強度も低くなるので、あまり望ましくない。
【０００６】
本発明は、上述した事情に鑑みなされたものであり、キャビネットの少なくとも一部を光透過性の部材で構成した電子機器において、電子機器の強度を高めつつ、表示部の周囲の構造が外部から見えるのを防止することが目的とされる。
【課題を解決するための手段】
【０００７】
本発明に係る電子機器は、キャビネット構成部材（１１）と、表示部（２）と、補強部材（３）とを備える。前記キャビネット構成部材（１１）は、キャビネット（１）の少なくとも一部を構成する部材であって、光透過性を有する。前記表示部（２）は、前記キャビネット内に収納され、前記キャビネット構成部材によって表面（２１）が覆われている。前記補強部材（３）は、光透過率が前記キャビネット構成部材より低く、前記キャビネット構成部材を補強する部材であって、前記表示部の周囲の位置にて前記キャビネット構成部材の内面（１１ａ）に取り付けられている。
【０００８】
具体的な構成において、前記補強部材（３）は、前記キャビネット構成部材（１１）の前記内面（１１ａ）に接触する平板部（３１）と、前記平板部の前記キャビネット構成部材とは反対側の面（３１１）に形成されたリブ部（３２）とを有する。
【０００９】
また、前記補強部材（３）の前記平板部（３１）には、前記表示部（２）と対応させて開口（３３）が形成されている。
【発明の効果】
【００１０】
本発明に係る電子機器によれば、キャビネット構成部材を補強部材によって内側から補強することで、キャビネット構成部材には、外部からの力に対する反発力が生じる。よって、電子機器の強度が高められ、以ってキャビネット内に収納された表示部や電子部品などを、外部の力から保護することができる。
【００１１】
しかも、補強部材は光透過率が低いので、補強部材が位置する表示部の周囲では、内部の光が補強部材によって遮られる。他方、補強部材は表示部に被さらないので、表示部から発せられる光は、キャビネット構成部材を透過して外部に到達する。よって、表示部の外部からの視認を可能にしつつ、表示部の周囲の内部構造については外部から見えにくくすることができる。
【発明を実施するための最良の形態】
【００１２】
以下、本発明の実施の形態につき、図面に沿って具体的に説明する。
【００１３】
図１は、本発明の実施の形態に係る電子機器であるクラムシェル型の携帯電話機を示した斜視図である。クラムシェル型の携帯電話機は、操作ボタンや電子部品などをキャビネット５内に収納した操作部と、液晶表示パネル４（後述の図３参照）や電子部品などをキャビネット１内に収納した液晶表示パネル部とを有する。なお、キャビネット１，５の材料には樹脂を用いることが多い。
【００１４】
図１では、クラムシェル型の携帯電話機の折りたたまれた状態が示されている。折りたたまれたクラムシェル型の携帯電話機では、キャビネット１，５が２枚貝の殻のように閉じられる。そして、閉じられたキャビネット１，５内に、操作ボタン及び液晶表示パネル４が収納される。これにより、外部との接触により携帯電話機が不用意に作動したり、液晶表示パネル４が傷付いたりすることが防止される。
【００１５】
図２及び図３は、図１に示されるクラムシェル型の携帯電話機の液晶表示パネル部の分解斜視図である。液晶表示パネル部のキャビネット１内には、液晶表示パネル４の他に、表示部２及び補強部材３が収納されている。なお、図２は、液晶表示パネル部をキャビネット１側から斜めに見た図である。図３は、液晶表示パネル部を液晶表示パネル４側から斜めに見た図である。
【００１６】
キャビネット１は、キャビネット構成部材１１とカバー部材１２とで構成されている。キャビネット構成部材１１は、光透過性を有する。カバー部１２には、光透過性を有する部材を用いても良いし、光透過性のない部材を用いても良い。なお、この内容は、キャビネット１の少なくとも一部が、光透過性を有する部材で構成されている、と把握することができる。
【００１７】
表示部２は、液晶表示パネル４とは別の表示部であり、液晶表示パネル４の裏側の位置にてキャビネット１内に収納される。そして、表示部３の表面３１が、キャビネット構成部材１１によって覆われる。
【００１８】
補強部材３は、キャビネット構成部材１１を補強する部材であって、表示部２の周囲の位置にて、キャビネット構成部材１１の内面１１ａに取り付けられる。しかも、補強部材３は、キャビネット構成部材１１よりも光透過率が低い。このような補強部材３の材料には、耐衝撃性や成形性に優れたＡＢＳ（Acrylonitrile  Butadiene  Styrene）樹脂などが用いられる。なお、光透過率の低い補強部材３には、光透過性がないものも含まれる。
【００１９】
具体的には、補強部材３は、平板部３１とリブ部３２とを有する。平板部３１には、
表示部２に対応させて開口３３を形成されている。そして、平板部３１は、外部から見たときの開口３３の位置を表示部２の位置に合わせて、キャビネット構成部材１１の内面１１ａに面接触した状態で取り付けられる。リブ部３２は、平板部３１のキャビネット構成部材１１とは反対側の面３１１に形成されている。
【００２０】
上述したクラムシェル型の携帯電話機によれば、キャビネット構成部材１１を補強部材３によって内側から補強することで、キャビネット構成部材１１には、外部からの力に対する反発力が生じる。具体的には、リブ部３２によって、外部からの力に対する反発力を、キャビネット構成部材１１に生じることができる。
【００２１】
また、平板部３１がキャビネット構成部材１１の内面１１ａに面接触することで、キャビネット構成部材１１の一部に当該反発力が集中することを防止することができる。
【００２２】
よって、クラムシェル型の携帯電話機の強度が高められ、以ってキャビネット１内に収納された表示部２や電子部品などを、外部の力から保護することができる。
【００２３】
しかも、補強部材３は光透過率が低いので、補強部材３が位置する表示部２の周囲では、内部の光が補強部材３の平板部３１によって遮られる。他方、平板部３１の開口３３の位置は表示部２の位置に合っているので、補強部材３は表示部２に被さらず、以って表示部から発せられる光は、キャビネット構成部材１１を透過して外部に到達する。
【００２４】
よって、補強部材３を設けることで、表示部２の外部からの視認を可能にしつつ、表示部２の周囲の内部構造については外部から（矢印９１の方向から）見えにくくすることができる。
【００２５】
また、平板部３１の面３１１にリブ部３２を形成することで、補強部材３のうち外部から（矢印９１の方向から）見えるのは平板部３１だけとなる。よって、表示部３の周囲の内部構造を外部から見えにくくしつつ、次の効果も得ることができる。つまり、補強部材３のうち外部から見える部分の構造が単純になり、以ってリブ部３２が外部から見える場合に比べて、補強部材３があまり目立たなくなる
【００２６】
変形例１；
図３に示されるように、キャビネット構成部材１１には側壁部１１１が形成されている。このため、矢印９１に直交する矢印９２，９３の方向からクラムシェル型の携帯電話機を見たときに、内部構造が、側壁部１１１を通して見えてしまうおそれがある。
【００２７】
そこで、図３に示されるように、補強部材３には側壁部３４を形成することが好ましい。具体的には側壁部３４は、補強部材３をキャビネット構成部材１１の内面１１ａに取り付けたときに、キャビネット構成部材１１の側壁部１１１に対向する。
【００２８】
本変形例に係るクラムシェル型の携帯電話機によれば、矢印９２，９３の方向からも内部構造が見えにくくなる。
【００２９】
変形例２；
上述したクラムシェル型の携帯電話機などの電子機器には、キャビネット構成部材１１の表面１１ｂ（図１）に金属を不連続蒸着させたものがある。キャビネット構成部材１１の表面１１ｂに金属を不連続蒸着させることで、表面１１ｂに金属光沢を持たせつつ、表面１１ｂに形成された金属膜の絶縁性を高めることができるというメリットが得られる。
【００３０】
その一方で、キャビネット構成部材１１の表面１１ｂに通常の塗装を行った場合に比べて、表面１１ｂの凹凸が目立ちやすくなるというデメリットがある。これは、キャビネット構成部材が光透過性を有する場合だけでなく、光透過性がない場合にもいえることである。
【００３１】
表面１１ｂの凹凸は、キャビネット構成部材１１の内面１１ａにリブを設置した場合に生じやすい。このため、表面１１ｂに不連続蒸着を施す場合、その内面１１ａへのリブの設置はあまり望ましくない。しかし、内面１１ａにリブを設置しないと、キャビネット構成部材１１の強度が低下して、電子機器の強度も低下してしまう。
【００３２】
そこで、表面１１ｂに連続蒸着が施される電子機器にも、本発明に係る上述した技術を適用することが好ましい。なぜなら、キャビネット構成部材１１の内面１１ａにリブを設置しなくても、補強部材２によってキャビネット構成部材１１を補強することができるからである。よって、表面１１ａに金属を不連続蒸着させる場合において、電子機器の強度を低下させずに、表面１１ｂの凹凸を目立ちにくくすることができる。
【００３３】
尚、本発明の各部構成は上記実施の形態に限らず、特許請求の範囲に記載の技術的範囲内で種々の変形が可能である。例えば、上述した技術は、クラムシェル型の携帯電話機だけなく、種々の電子機器に適用することができる。
【図面の簡単な説明】
【００３４】
【図１】実施の形態に係るクラムシェル型の携帯電話機を示した斜視図である。
【図２】液晶表示パネル部の分解斜視図である。
【図３】液晶表示パネル部の分解斜視図である。
【符号の説明】
【００３５】
１  キャビネット
１１  キャビネット構成部材
１１ａ  内面
２  表示部
２１  表面
３  補強部材
３１  平板部
３１１  平板部の面
３２  リブ部
３３  開口
【図１】
2009212552.tif 000003
【図２】
2009212552.tif 000004
【図３】
2009212552.tif 000005